(57)【要約】【課題】分水手段による回転洗浄手段の反転動作を、本体の設置性および洗浄槽の容量を確保して実現する。【解決手段】複数の吐出経路６を有し洗浄ポンプ４から吐出された洗浄水を前記吐出経路６へ選択的に供給する分水手段５と、前記吐出経路６と連通し洗浄水を流送する少なくとも２つの導水経路９を有する回転洗浄手段８と、前記分水手段５の上方に位置し、前記回転洗浄手段８を保持するとともにその回転中心となる軸受部１１とを備え、前記洗浄ポンプ４は、前記回転洗浄手段８の軸受部１１から水平方向へ所定距離を離間して配設したものである。【選択図】図１
2009056214.tif 000002
【特許請求の範囲】
【請求項１】
食器等の被洗浄物を収容する洗浄槽と、前記洗浄槽内の洗浄水を加圧する洗浄ポンプと、複数の吐出経路を有し前記洗浄ポンプから吐出された洗浄水を前記各々の吐出経路へ選択的に供給する分水手段と、前記吐出経路と連通し洗浄水を流送する少なくとも２つの導水経路を有する回転洗浄手段と、前記分水手段の上方に位置し、前記回転洗浄手段を保持するとともにその回転中心となる軸受部とを備え、前記洗浄ポンプは、前記回転洗浄手段の軸受部から水平方向へ所定距離を離間して配設した食器洗い機。
【請求項２】
分水手段は、洗浄ポンプの吐出口と連通した洗浄水の流入部と、回転洗浄手段の導水経路と連通した流出部を有して吐出経路の下方に配設され、前記流入部は、前記分水手段の側面に位置し、洗浄水が本体の設置面に対して、前記分水手段へ水平横方向から流入するようにした請求項１記載の食器洗い機。
【請求項３】
洗浄ポンプは、本体内の底面に沿って水平方向に延びる送水路を介して洗浄槽の底部に設けた排水部と連設され、前記洗浄ポンプの吐出口を分水手段の流入部より上方に位置させた請求項１または２記載の食器洗い機。
【請求項４】
分水手段は、複数の流出部を切換える弁体を有し、前記弁体は、洗浄ポンプの運転、停止により、上下方向に動作しながら回転し、前記洗浄水を供給する流出部を切換える構成とした請求項１〜３のいずれか１項に記載の食器洗い機。
【請求項５】
分水手段の流出部は、流路の断面形状に対して対称に形成した請求項１〜４のいずれか１項に記載の食器洗い機。
【請求項６】
分水手段は、回転洗浄手段の導水経路への洗浄水の供給を切換えることで、前記回転洗浄手段の回転方向を切換えるようにした請求項１〜５のいずれか１項に記載の食器洗い機。
【発明の詳細な説明】
【技術分野】
【０００１】
本発明は、食器等の洗浄を行う食器洗い機に関するものである。
【背景技術】
【０００２】
従来、少なくとも２つの導水経路を持ち、導水経路を切換える洗浄手段を有する一般的な食器洗い機は、図１２に示すような構成としていた（例えば、特許文献１参照）。以下、その構成について説明する。
【０００３】
図に示すように、底部に洗浄水を貯留し内部に被洗浄物を収容する洗浄槽５１と、洗浄槽５１の下方に設けられたモータ５２を駆動源として洗浄水を加圧し噴射する洗浄ポンプ５３と、洗浄槽５１の中央から上方へ突出した２重構造のパイプ部材５４に回転自由に支持された洗浄ノズル５５と、被洗浄物をセットするかご５６を設け、被洗浄物がセットされたかご５６を洗浄ノズル５５上方の洗浄槽５１内に設置する。
【０００４】
洗浄ノズル５５は、その内部を仕切板５７により第１の導水経路５８と第２の導水経路５９に分けられている。前記パイプ部材５４の内中空部６０が、第１の洗浄水流路５８に連絡され、また、外中空部６１が第２の導水経路５９に連絡されており、ソレノイド６２で駆動される切換弁６３により洗浄ポンプ５３から噴射される洗浄水を前記第１の導水経路５８と第２の導水経路５９へ切換えるものである。
【０００５】
洗浄槽５１の洗浄水は、洗浄ポンプ５３により洗浄ノズル５５に送られるが、途中、切換弁６３により第１の導水経路５８と第２の導水経路５９に分かれ、洗浄およびすすぎ工程中はいずれか一方が必ず閉められ、一定時間毎にソレノイド６２を駆動し切換弁６３を動かして第１の導水経路５８と第２の導水経路５９の入口６４、６５を交互に開放する。洗浄ならびにすすぎ工程中において、第１の導水経路５８と第２の導水経路５９より、交互に洗浄水を逆の噴射角を有して噴射すれば、洗浄ノズル５５は、正逆両方向に回転し、被洗浄物に対して両面から洗浄水が入射することになり、被洗浄物全体を均等に効率よく洗浄ならびにすすぐことができる。
【０００６】
また、洗浄ポンプで加圧した洗浄水が複数の洗浄手段へ供給されるように切換えるようにした食器洗い機も考えられている（例えば、特許文献２参照）。
【特許文献１】特開昭６３−４３６３６号公報
【特許文献２】特開２００３−３３９６０７号公報
【発明の開示】
【発明が解決しようとする課題】
【０００７】
しかしながら、前記従来の食器洗い機では、第１の導水経路５８と第２の導水経路５９を切換える切換弁６３だけでなく、洗浄ポンプ５３も洗浄ノズル５５の下方に配置されることで、食器洗い機の本体の高さが高くなり、狭い台所での設置高さに制限がある場所への設置性が悪くなる。また、設置性を確保するために食器洗い機本体の高さを低くすると洗浄槽５１内が低くなり、被洗浄物を収納する容量が小さくなる等食器洗浄に必要な容積が十分に確保できないという課題を有していた。
【０００８】
本発明は、上記従来の課題を解決するもので、回転洗浄手段内の導水経路を分水手段により切換え、洗浄水を効率よく被洗浄物に入射できるようにするとともに、洗浄ポンプの設置スペースの高さを低くして、食器洗い機の設置性と洗浄槽の容量を確保することを目的とする。
【課題を解決するための手段】
【０００９】
前記従来の課題を解決するために、本発明の食器洗い機は、食器等の被洗浄物を収容する洗浄槽と、前記洗浄槽内の洗浄水を加圧する洗浄ポンプと、複数の吐出経路を有し前記洗浄ポンプから吐出された洗浄水を前記各々の吐出経路へ選択的に供給する分水手段と、前記吐出経路と連通し洗浄水を流送する少なくとも２つの導水経路を有する回転洗浄手段と、前記分水手段の上方に位置し、前記回転洗浄手段を保持するとともにその回転中心となる軸受部とを備え、前記洗浄ポンプは、前記回転洗浄手段の軸受部から水平方向へ所定距離を離間して配設したものである。
【００１０】
これによって、分水手段により回転洗浄手段の回転方向を反転させて洗浄水を効率よく被洗浄物にくまなく噴射させることができるとともに、洗浄ポンプの設置スペースの高さを低くして、食器洗い機の設置性と洗浄槽の容量を確保することができる。
【発明の効果】
【００１１】
本発明の食器洗い機は、洗浄性能が向上するとともに、食器洗い機の設置性と洗浄槽の容量を確保することができる。
【発明を実施するための最良の形態】
【００１２】
第１の発明は、食器等の被洗浄物を収容する洗浄槽と、前記洗浄槽内の洗浄水を加圧する洗浄ポンプと、複数の吐出経路を有し前記洗浄ポンプから吐出された洗浄水を前記各々の吐出経路へ選択的に供給する分水手段と、前記吐出経路と連通し洗浄水を流送する少なくとも２つの導水経路を有する回転洗浄手段と、前記分水手段の上方に位置し、前記回転洗浄手段を保持するとともにその回転中心となる軸受部とを備え、前記洗浄ポンプは、前記回転洗浄手段の軸受部から水平方向へ所定距離を離間して配設したことにより、分水手段により回転洗浄手段の回転方向を反転させて洗浄水を効率よく被洗浄物にくまなく噴射させることができるとともに、回転洗浄手段の下部にモータ等の機構部を備え大きなスペースを必要とする洗浄ポンプが配置されないので、本体の高さが低くでき、洗浄ポンプの設置スペースの高さを低くして、食器洗い機の設置性と洗浄槽の容量を確保することができる。
【００１３】
第２の発明は、特に、第１の発明の分水手段は、洗浄ポンプの吐出口と連通した洗浄水の流入部と、回転洗浄手段の導水経路と連通した流出部を有して吐出経路の下方に配設され、前記流入部は、前記分水手段の側面に位置し、洗浄水が本体の設置面に対して、前記分水手段へ水平横方向から流入するようにしたことにより、分水手段の下部空間の高さを低くすることができ、洗浄槽の容量を確保した上で本体の高さを一層低くすることができる。
【００１４】
第３の発明は、特に、第１または第２の発明の洗浄ポンプは、本体内の底面に沿って水平方向に延びる送水路を介して洗浄槽の底部に設けた排水部と連設され、前記洗浄ポンプの吐出口を分水手段の流入部より上方に位置させたことにより、洗浄ポンプの配設位置を高く設定することができるので、分水手段の下部に必要な空間の高さを一層低くすることができる。
【００１５】
第４の発明は、特に、第１〜第３のいずれか１つの発明の分水手段は、複数の流出部を切換える弁体を有し、前記弁体は、洗浄ポンプの運転、停止により、上下方向に動作しながら回転し、前記洗浄水を供給する流出部を切換える構成としたものであり、弁体を切換えるのに上方向への洗浄水の流れを利用している。分水手段の流出部および吐出経路は、回転洗浄手段の下方にあるので、洗浄水の流れる方向が変化せず、圧力損失を低減し、洗浄水を送ることができる。したがって、洗浄効率が向上するものである。
【００１６】
第５の発明は、特に、第１〜第４のいずれか１つの発明の分水手段の流出部は、流路の断面形状に対して対称に形成したことにより、回転洗浄手段へ送られる洗浄水が流路に対して偏ることなく、回転洗浄手段に安定して洗浄水を供給できる。したがって、洗浄水の圧力により、回転洗浄手段が傾くことで、洗浄水の圧力損失が増えることもなく、傾きを抑えるために、回転洗浄手段の重量を重くする必要もない。
【００１７】
第６の発明は、特に、第１〜第５のいずれか１つの発明の分水手段は、回転洗浄手段の導水経路への洗浄水の供給を切換えることで、前記回転洗浄手段の回転方向を切換えるようにしたことにより、噴射位置はもちろん、被洗浄物に噴射される洗浄水の噴射角度も正転と逆転で切換えることができ、効率よく洗浄することができる。
【００１８】
以下、本発明の実施の形態について、図面を参照しながら説明する。なお、本実施の形態によって本発明が限定されるものではない。
【００１９】
（実施の形態１）
図１は、本発明の第１の実施の形態における食器洗い機の要部断面図、図２（ａ）は同食器洗い機の分水手段の断面図、図２（ｂ）は同分水手段の吐出経路の平面図である。図に示すように、食器洗い機の本体１には、蓋体（図示せず）で開閉可能な洗浄槽２を設け、食器等の被洗浄物は食器かご３にセットされ、洗浄槽２内に収容している。洗浄ポンプ４は洗浄槽２側に配設したモータ４ａによって駆動され、給水弁（図示せず）から洗浄槽２に供給された洗浄水を加圧して、被洗浄物に噴射する。分水手段５は、複数の吐出経路６と、ソレノイドやステッピングモータ等の電動モータにより駆動される弁体７を有し、この弁体７を作動させ吐出経路６を切換えて、洗浄ポンプ４から吐出された洗浄水を各々の吐出経路６へ選択的に供給する。
【００２０】
回転洗浄手段８は、その内部に仕切りを設け、洗浄水を流送する少なくとも２つの導水経路９を有し、各々の導水経路９には、洗浄水を被洗浄物に噴射する噴出口１０を設けている。噴出口１０は、各導水経路９において、少なくとも１つは、位置や角度、形状等が異なるようにしている。分水手段５の吐出経路６は、回転洗浄手段８の導水経路９とそれぞれ連通している。また、吐出経路６に、分岐経路を設けて、別に設けた洗浄手段と連結してもよい。
【００２１】
軸受部１１は、分水手段５の上方に設けられて回転洗浄手段８を保持し、回転洗浄手段８は、軸受部１１を中心に回転する。図１において、軸受部１１は、洗浄槽２にパッキン等を介して装着しているが、洗浄槽２と一体に形成してもよい。洗浄ポンプ４は、回転洗浄手段８の軸受部１１の軸心から、本体１の設置面に対して水平方向に離し、一定の距離をおいて配置している。
【００２２】
以上のように構成された食器洗い機について、以下その動作、作用を説明する。食器等の被洗浄物１２を食器かご３にセットして洗浄槽２に収納し、洗剤を投入した後、蓋体により本体１の開口部を閉塞し、運転を開始する。被洗浄物１２の汚れを落とす洗浄工程、付着した洗剤や残菜を流すすすぎ工程、そして被洗浄物１２に付着している水適を乾燥させる乾燥工程の順に実行する。
【００２３】
まず、洗浄工程は、制御手段１３により、給水弁を動作して所定量の洗浄水を洗浄槽２に給水する。この際、洗浄槽２内に設けたヒータ（加熱手段）１４は通電され、洗浄水は加熱される。次に、洗浄ポンプ４により洗浄水を加圧し分水手段５に供給する。分水手段５内の弁体７は、制御手段１３により所定の時間で、複数の吐出経路の中で、洗浄水を流送する吐出経路６のみ開口し、残りの吐出経路は閉じる。開口された吐出経路６へ流送された洗浄水は、吐出経路６と連通している回転洗浄手段８の導水経路９に流入し、導水経路９に設けられた噴出口１０から洗浄水が被洗浄物１２に噴出される。
【００２４】
弁体７を切換え、別の吐出経路６へ洗浄水を流送すると、回転洗浄手段８の別の導水経路９を通って噴出口１０から洗浄水が噴射され、回転洗浄手段８が逆方向に回転し、噴射位置、噴射角度等が異なる噴流が被洗浄物１２に噴出される。洗浄水は、洗浄槽２の底部に設けた残さいフィルタ１５を通過し、排水部１６から本体１内の底面に沿って水平方向に延びる送水路１６ａを通過した後、洗浄ポンプ４を介して回転洗浄手段８から洗浄槽２内に噴射されて循環する。
【００２５】
所定時間の洗浄工程を終えると、汚れを含む洗浄水は排水ポンプ（図示せず）等により本体１外に排出され、給水弁から新たに洗浄水が供給される。洗浄ポンプ４を運転し、分水手段５を経て、回転洗浄手段８から再び洗浄水を噴射して、洗剤や残菜等の付着した被洗浄物１２のすすぎを行う。所定時間運転した後、洗浄水を排出し、再び洗浄水を供給するという動作を繰り返し、このすすぎ工程は連続して２〜４回程度行う。最後に、洗浄水を機外に排出して、すすぎ工程は終了する。すすぎ工程終了後、乾燥工程を所定時間行い、運転を終了する。
【００２６】
以上のように、本実施の形態においては、分水手段５を設置しても、洗浄ポンプ４を前記回転洗浄手段８の軸受部１１の軸心から本体１の設置面に対して水平方向に離し、一定距離に配置することにより、回転洗浄手段８の下部にモータ等を有し、大きなスペースをとる洗浄ポンプ４によって、本体１の高さが高くなることがない。したがって、複数の噴出口１０を有する回転洗浄手段８で任意の被洗浄物１２に対して複数方向から洗浄水を噴射させることができる。短時間で被洗浄物１２に付着した汚染物を洗浄することができ、高効率洗浄を実現するとともに、本体１の設置性および食器等の被洗浄物のセット性を妨げることがない。
【００２７】
（実施の形態２）
図３に示すように、分水手段５は、洗浄ポンプ４の吐出口１７と連通した洗浄水の流入部１８と、吐出経路６を介して、回転洗浄手段８の導水経路９と連通した流出部１９を有している。洗浄流路２０は、洗浄ポンプ４の吐出口１７と分水手段５の流入部１８を連通している。流入部１８は、分水手段５の側面に位置し、洗浄水が本体１の設置面に対して、分水手段５の水平横方向から流入する構成となっている。また、流入部１８は、弁体７に対しては、本体１の設置面の垂直方向に対して、下部に位置している。
【００２８】
以上のように、本実施の形態においては、洗浄水を分水手段５の水平横方向から流入する構成とすることで、洗浄ポンプ４の吐出口１７から吐出される洗浄水の洗浄流路２０を、本体１の設置面に対して水平方向に設けることができる。また、洗浄流路２０が水平方向に設置されているので、洗浄水の排水時にも、残水が残りにくい構成で、洗浄水の濁度が低くなり、洗浄性能が向上する。したがって、本体１の高さが垂直方向に高くなることなく、本体１の設置性および被洗浄物１２のセット性を確保できる。
【００２９】
また、図４に示したように、洗浄ポンプ４の吐出口１７が、分水手段５の流入部１８よりも上方に位置する構成とすることで、洗浄ポンプ４を洗浄槽２の下方にコンパクトに内蔵することができる。上記の構成は、洗浄流路２０の洗浄ポンプ４側が高くなるように傾斜させることで実現しており、送水路１６ａの位置も洗浄槽２に近づくように上昇させることができる。すなわち、モータ、内部に洗浄水の流路を有するケーシング、洗浄水を圧送するランナー、モータの駆動力をランナーに伝達する軸等を有し、高さ方向にスペースをとる洗浄ポンプ４が、本体１に対して垂直方向に高くなることなく、本体１の設置性および被洗浄物１２のセット性を確保できる。
【００３０】
（実施の形態３）
図５〜図８は、分水手段５の詳細図である。図５は、弁体７の開口部２１を示す平面図である。図６に示したように、洗浄ポンプ４で加圧された洗浄水が流入する分水手段５の流入部１８と複数の吐出経路６に各々連通した複数の流出部１９を有するケーシング２２と、流出部１９の少なくとも１つと対向するように開口部２１を設けるとともに、開口部２１が対向する流出部１９が切換わるようにケーシング２２内で弁体７が動作する。
【００３１】
以下その動作、作用を説明する。洗浄ポンプ４が運転すると洗浄水が分水手段５の流入部１８よりケーシング２２内に流入する。弁体７は、中央が貫通しており、弁体７の進退を案内する支持部２３に沿って、洗浄水の圧力により弁体７を流出部１９側である上方に押し上げる。その際、弁体７は上部係合部２４の傾斜に従って、回転および略直動を伴った動作で上昇し、所定の流出部１９が開口するように、弁体７の開口部２１と所定の流出部１９が一致する位置で固定される（図７）。その他の流出部１９は、弁体７により閉塞される。
【００３２】
続いて、洗浄ポンプ４を一旦停止すると、弁体７を下方から押し上げていた水圧が作用しなくなることから、弁体７は支持部２３に沿って、その自重で降下するが、この際、下部係合部２５の傾斜に従って回転しながら降下し、所定位置で停止する。再び、洗浄ポンプ４を運転すると、上部係合部２４の傾斜に係合され、弁体７は回転しながら上昇し、弁体７の開口部２１と、隣接した次の流出部１９とが連通されることで、吐出経路６を切換えることができる。
【００３３】
なお、この上部係合部２４と下部係合部２５に関しては螺旋形や三角などの形状に限定するものではなく、洗浄ポンプ４を断続的に運転する際に、洗浄ポンプ４を運転中に所定の流出部１９と弁体７の開口部２１が一致すればよい。また、弁体７の外周部など、係合部の位置を限定するものでもない。
【００３４】
このように、専用の電動駆動部を設けなくても、洗浄ポンプ４の運転、停止で、弁体７の位置を切換えることができ、弁体７を切換えるのに、上方向の洗浄水の流れを利用しているが、分水手段５の流出部１９および吐出経路６は、回転洗浄手段８の下方にあるので、洗浄水の流れる方向が変化せず、圧力損失を低減させて洗浄水を送ることができる。したがって、洗浄効率が向上するものである。
【００３５】
（実施の形態４）
図９は、分水手段の流出部の詳細図である。分水手段５の内側流出部２６と外側流出部２７は流路の断面形状に対して対称に形成されている。回転洗浄手段８の導水経路９は、図１０に示したように、分水手段５の吐出経路６と連通する部分において、２重円筒状に形成されている。弁体２８は、分水手段５の内側流出部２６と外側流出部２７を開閉するように対称に形成されている。
【００３６】
以下その動作、作用を説明する。弁体２８は、２重円筒状に形成された回転洗浄手段８の導水経路９の内側経路２９と外側経路３０と連通する、分水手段５の内側流出部２６と外側流出部２７を交互に切換える。内側経路２９と外側経路３０は、少なくとも１つは、噴射口の位置、角度、形状、開口面積が異なって形成されており、経路が弁体２８により切換えられた時、少なくとも１つの噴射口は、噴射位置、角度等がことなる水流によって、被洗浄物を洗うことができる。また、内側流出部２６と外側流出部２７が対称形状のため、回転洗浄手段８へ送られる洗浄水が流路に対して偏ることなく、回転洗浄手段８に安定して、洗浄水を供給できる。
【００３７】
したがって、被洗浄物に対して、様々な位置、角度等から洗浄水を噴射できるとともに、洗浄水の圧力により、回転洗浄手段８が傾かず、安定して回転するので、洗浄水の圧力損失が増えることがなく、効率よく洗浄できる。更に、回転洗浄手段８を安定して回転させ、傾き等を抑えるために、回転洗浄手段８の重量を重くする必要もないので、回転洗浄手段８の耐久性、コスト面でも向上するものである。
【００３８】
（実施の形態５）
図１１に示すように、回転洗浄手段８の導水経路が２つの場合、第１の導水経路３３と第２の導水経路３４は、回転洗浄手段８内で仕切られ、第１の導水経路３３もしくは第２の導水経路３４には、回転洗浄手段８が右回転に回転するように、推進方向に対して反対方向に噴射角度を有する少なくとも１つの噴出口を設けている。また、一方の第１の導水経路３３もしくは第２の導水経路３４は、回転洗浄手段８が左回転するように、噴出口を設けているものである。
【００３９】
以下その動作、作用を説明する。洗浄ポンプ４により噴出された洗浄水は、分水手段５により、第１の導水経路３３と連通している吐出経路へ流送される。第１の導水経路３３の噴出口３５から洗浄水が噴射されると、その噴射反力により回転洗浄手段８は右もしくは左回転し、被洗浄物１２に対して主に片側から洗浄水があたる。次に、分水手段５により、別の吐出経路から、第２の導水経路３４の噴出口３６から洗浄水が噴射されると、その噴射反力により回転洗浄手段８は反転し、被洗浄物１２に対して、主に、第１の導水経路３３を経て噴射口３５から洗浄水を噴射した時とは、反対の向きから洗浄水があたる。
【００４０】
また、噴出口３５、３６の位置や形状は、対称に同一のものを用いなくても様々な方向位置から洗浄水が被洗浄物１２にあたるため、洗浄効率を向上することができる。
【００４１】
分水手段５が、回転洗浄手段８の導水経路９への洗浄水の供給を切換えることで、回転洗浄手段８の回転方向が切換わる。また、噴射位置はもちろん被洗浄物１２に噴射される洗浄水の角度も切換えることが可能となり、被洗浄物１２に対して、いろいろな方向から洗浄水を噴射することができる。したがって、食器洗い機の本体１の設置性および被洗浄物１２のセット性が確保されるとともに、洗浄効率も向上する。
【産業上の利用可能性】
【００４２】
以上のように、本発明に係る食器洗い機は、洗浄性能が向上するとともに、設置性と洗浄槽の容量を確保することができるので、食器洗い機として有用である。
【図面の簡単な説明】
【００４３】
【図１】本発明の実施の形態１の食器洗い機の要部断面図
【図２】（ａ）同食器洗い機の分水手段の要部断面図（ｂ）同分水手段の吐出経路の平面図
【図３】本発明の実施の形態２の食器洗い機の要部断面図
【図４】同食器洗い機の他の例の要部断面図
【図５】本発明の実施の形態３の食器洗い機の分水手段の弁体の平面図
【図６】同食器洗い機の分水手段の断面図
【図７】同食器洗い機の分水手段の平面図
【図８】同食器洗い機の分水手段の動作説明図
【図９】（ａ）本発明の実施の形態４の食器洗い機の分水手段の平面図（ｂ）同弁体の平面図
【図１０】（ａ）同食器洗い機の回転洗浄手段を断面で示した平面図（ｂ）同断面で示した側面図
【図１１】本発明の実施の形態５の食器洗い機の回転洗浄手段を断面で示した平面図
【図１２】従来の食器洗い機の要部断面図
【符号の説明】
【００４４】
２  洗浄槽
４  洗浄ポンプ
５  分水手段
６  吐出経路
７  弁体
８  回転洗浄手段
９  導水経路
１１  軸受部
１８  流入部
１９  流出部
２９  内側経路
３０  外側経路
【図１】
2009056214.tif 000003
【図２】
2009056214.tif 000004
【図３】
2009056214.tif 000005
【図４】
2009056214.tif 000006
【図５】
2009056214.tif 000007
【図６】
2009056214.tif 000008
【図７】
2009056214.tif 000009
【図８】
2009056214.tif 000010
【図９】
2009056214.tif 000011
【図１０】
2009056214.tif 000012
【図１１】
2009056214.tif 000013
【図１２】
2009056214.tif 000014